(57)【要約】【課題】  排水口などに装着して毛髪やごみなどを捕集堆積し、補修堆積された毛髪やごみなどが、手にふれることなく、簡単且つ容易に廃棄できるようにされ、清掃し易くしたヘアキャッチャーを得ることにある。【解決手段】  排水口を開閉する排水栓が排水口金具に装着され、該排水口金具の上縁部に配設されて、該排水栓の支柱を貫挿させるヘアキャッチャーが具備される排水栓装置において、排水栓の支柱をガイド摺動する軸筒部と、該軸筒部より抜き出した排水栓の支柱の端部が装着される装着部を近傍に配備した周縁リング部と、この軸筒部と周縁リング部との間に展がるネット部とでなるヘアキャッチャーである。【選択図】図１５
2010037920.tif 000002
【特許請求の範囲】
【請求項１】
排水口を開閉する排水栓が排水口金具に装着され、該排水口金具の上縁部に配設されて該排水栓の支柱を貫挿させるヘアキャッチャーが具備される排水栓装置において、排水栓の支柱をガイド摺動する軸筒部と、該軸筒部より抜き出した排水栓の支柱の端部が装着される装着部を近傍に配備した周縁リング部と、この軸筒部と周縁リング部との間に展がるネット部とでなることを特徴とするヘアキャッチャー。
【請求項２】
排水栓の支柱の端部を装着する装着部が輪状の挿着部で構成され、軸筒部より引き抜いた排水栓の支柱の端部が前記輪状の挿着部へ挿通掛止されることを特徴とする請求項１記載のヘアキャッチャー。
【請求項３】
排水栓の支柱の端部を装着する装着部が二又状の握持部で構成され、軸筒部より引き抜いた支柱の端部が挟握持されることを特徴とする請求項１記載のヘアキャッチャー。
【請求項４】
軸筒部内側面には、摩擦を軽減するための複数の軸方向へのリブが形成されることを特徴とする請求項１乃至３のいずれか１項記載のヘアキャッチャー。
【請求項５】
ネット部は、上筋と下筋との筋違いで構成することを特徴とする請求項１乃至４のいずれか１項記載のヘアキャッチー。
【発明の詳細な説明】
【技術分野】
【０００１】  本発明は、排水口の排水口金具などに装着して、毛髪やごみなどを堆積、捕集させ、堆積、捕集された毛髪やごみなどを、いとも簡単、且つ容易に廃棄できるようにしたヘアキャッチャーに関するものである。
【背景技術】
【０００２】  従来にも、排水口の排水口金具などに取付けて、排水に流された毛髪やごみなどを捕集するヘアキャッチャーがある。該ヘアキャッチャーは、ときには、コンタクトレンズや指輪などの貴重品を気付かずに排水中に落したとしても、排水とともに流してしまうことのないようにしたものである
ところで、このようなヘアキャッチャーは、構成されている捕集部で毛髪やごみなどを捕集し、該捕集された毛髪やごみなどが捕集部に堆積され、その結果、排水性能の低下が懸念されている。この点を防止するためには、堆積、捕集された毛髪やごみなどを除去処理、清掃することにある。
ところが、堆積、捕集された毛髪やごみなどは、捕集部などに付着して、清掃の際に、簡単且つ容易には除去することができなかった。
そこで、排水性能の低下を防ぐとともに、清掃性が向上されるヘアキャッチャーとして、毛髪やごみなど捕集する捕集部を断面Ｖ字形環体の捕集ネットに構成するものがある。
この断面Ｖ字形環体の捕集ネットは、Ｖ字形状の底部に毛髪やごみなどが纏まるので、廃棄するのに容易に取除くことができるというものである（特許文献１）。【０００３】
【特許文献１】  特開２００７−８５１０２
【発明の開示】
【発明が解決しようとする課題】
【０００４】  清掃の際を考慮して、断面Ｖ字形環状の捕集ネットを備えたヘアキャッチャー（特許文献１）は、その断面Ｖ字形環体のＶ字形の底部に毛髪やごみなどがリング状に纏められるので、捕集ネットから取除き易く、付着しにくくなっているものの、これらヘアキャッチャーは、排水栓と一体化されていることが常であるので、排水栓を分解しない限りは、捕集ネットへリング状に堆積した毛髪やごみなどが、栓蓋や支柱などに引掛かってしまい、容易に廃棄できることにならなかった。【０００５】  そこで、本発明は、毛髪やごみなどを確実に捕集し、この捕集による堆積がされても、排水性能の低下を防ぐとともに、堆積した毛髪やごみなどの廃棄によりよい結果を得、清掃性の向上がされるヘアキャッチャーを得ることにある。
【課題を解決するための手段】
【０００６】  本発明のヘアキャッチャーは、排水口を開閉する排水栓が排水口金具に装着され、該排水口金具の上縁部に配設されて該排水栓の支柱を貫挿するヘアキャッチャーが具備される排水栓装置において、排水栓の支柱をガイド摺動する軸筒部と、該軸筒部より抜き出した排水栓の支柱の端部が装着される装着部を近傍に配備した周縁リング部と、この軸筒部と周縁リング部と間に展がるネット部とで構成してなるものである。【０００７】  本発明のヘアキャッチャーは、排水栓の支柱の端部を装着する装着部が輪状の挿着部で構成され、軸筒部より引き抜いた排水栓の支柱の端部が前記輪状の挿着部へ挿通掛止されるものである。【０００８】  本発明のヘアキャッチャーは、排水栓の支柱の端部を装着する装着部が、二又状の握持部で構成され、軸筒部より引き抜いた排水栓の支柱の端部が挟握持されるものである。【０００９】  本発明のヘアキャッチャーは、軸筒部内側面には、複数の軸方向へのリブが形成され、摩擦を軽減するものである。【００１０】  本発明のヘアキャッチャーは、ネット部が、上筋と下筋との筋違いで構成されているものである。
【発明の効果】
【００１１】  本発明のヘアキャッチャーは、軸筒部には、排水栓の支柱が該軸筒部をガイド摺動して抜き差しされるので、排水栓の開閉のための昇降に支障を来たすことなく、その上、ネット部に毛髪やごみなどが堆積、捕集され、捕集した毛髪やごみなどの廃棄には、排水栓の支柱をガイド摺動する軸筒部から引き抜き、排水栓の支柱の端部が周縁リング部近傍に配備した装着部へ装着されることによって、排水栓がヘアキャッチャーの毛髪やごみなどを廃棄するための長い柄の取手となって取扱い易く、且つ該取手をもって振ったときに、その長い柄のための遠心力が働いてネット部に堆積、捕集された毛髪やごみなどを放棄し易くできる。【００１２】  本発明のヘアキャッチャーは、軸筒部より引き抜かれた排水栓の支柱の端部を装着する装着部が輪状の挿着部で構成されているので、排水栓の支柱の端部を周縁リング部近傍の挿着部に挿し込むだけで、簡単且つ容易に挿着固定することができ、排水栓の栓蓋をもって振るのみで、ヘアキャッチャーに堆積、捕集されていた毛髪やごみなどが、手に触れることなく、簡単且つ容易に放棄することができる。【００１３】  本発明のヘアキャッチャーは、軸筒部より引き抜いた排水栓の支柱の端部を装着する装着部が二又状の握持部で構成されているので、排水栓の支柱の端部を握持部に押込み、挟握持させるだけで、簡単且つ容易に、強固な固定ができ、毛髪やごみなどの放棄のために、排水栓の栓蓋をもって振っても、ヘアキャッチャーの外れ飛ぶことがない。【００１４】  本発明のヘアキャッチャーは、軸筒部内側面に複数の軸方向へのリブが形成されているので、排水栓の支柱とのガイド摺動に摩擦が軽減され、排水栓の開閉のための昇降に支障なくできる。【００１５】  本発明のヘアキャッチャーは、ネット部が上筋と下筋とによる筋違いの構成になっているので、毛髪やごみなどがこれらに堆積するその接触面積を小さくすることができ、廃棄に当って、毛髪やごみなどを剥れ離れ易くでき、放棄し易くできる。
【発明を実施するための形態】
【００１６】  本発明のヘアキャッチャーは、排水栓の支柱をガイド摺動する軸筒部と、周縁リング部と、これら間に展がるネット部とで構成され、その周縁リング部近傍に配備した装着部に、その軸筒部より引き抜き出した排水栓の支柱の端部を装着して固定し、排水栓の栓蓋が把持されて振ることにしても、ネット部に堆積、捕集された毛髪やごみなどを手に触れることなく、ネット部から廃棄することができるようにするものである。
【実施例１】
【００１７】  本発明のヘアキャッチャーを図面に基いて説明すると、図１に示す如く、接続管４に挿通するレリースワイヤ２等による遠隔操作で排水口を開閉する排水栓１が、その支柱１１を排水口金具３に装着されるヘアキャチャー５の軸筒部５１に貫挿してガイド摺動される。
レリースワイヤ２の作動部２１を排水口金具３に支持される支持部材６で支持し、作動部２１の作動軸２２を排水栓の支柱１１先端の凹部１１２に挿込んで位置決めし、排水栓１とレリースワイヤ２のその作動部２１とが継続される。【００１８】  ヘアキャッチャー５は、図２〜５で示す如く、排水栓１の支柱１１が貫挿され、ガイド摺動する軸筒部５１と、該軸筒部より引き抜き出した排水栓の支柱１１の端部１１１が装着される装着部５２を近傍に配備した周縁リング部５３と、該周縁リング部と軸筒部５１と間に展がるネット部５４とで構成される。【００１９】  ネット部５４は、上筋５４１と下筋５４２との筋違いでなり、これらによって構成し、下筋５４２の上に交叉する上筋５４１が載置され、接合一体化している。
よって、これらネット部５４に捕集、堆積した毛髪やごみなどは、放棄の際に、剥れ離れ易くすることができる。
軸筒部５１は、排水栓の支柱１１が貫挿され、排水口の開閉で排水栓１の昇降される際に、排水栓の支柱１１によるガイド摺動が、より潤滑にされるために、軸筒部内側面には、軸方向への複数のリブ５１１が形成され、摩擦を軽減している。
周縁リング部５３は、近傍に装着部５２が配備され、該装着部は、周縁リング部５３からネット部５４へ沿った挿着穴でなる輪状の挿着部５２２で構成する。【００２０】  排水栓１は、図６〜７で示す如く、その支柱１１の端部１１１に先細りのテーパを付し、先端には、レリースワイヤの作動部２１との継続をする凹部１１２が形成されている。【００２１】  ネット部５４に堆積、捕集された毛髪やごみなどを廃棄するに当って、図１５に示す如く、排水栓１の支柱１１がヘアキャッチャー５の軸筒部５１より引き抜かれて、支柱のテーパの付いた端部１１１をヘアキャッチャー５の周縁リング部５３近傍に配備された輪状の挿着部５２２に挿着し、強く押込むことによって、排水栓１が支柱１１をもってヘアキャッチャー５に固定される。
支柱の端部１１１にはテーパが付いているので、排水栓１の支柱１１の端部１１１が輪状の挿着部５２２に挿着されるときには容易に挿着でき、抜け外れることなく固く固定できる。
よって、排水栓の栓蓋１２をもって、ネット部５４に堆積、捕集された毛髪やごみなどの放棄で振ることになっても、ヘアキャッチャーが外れ飛ぶことなく、振る運動衝撃で、手に触れることなく、いとも簡単且つ容易に廃棄できることになる。
【実施例２】
【００２２】  本発明の実施例２のヘアキャッチャーを図面に基いて説明すると、図８に示す如く、遠隔操作式排水栓装置は、レリースワイヤ２などによる遠隔操作で排水口を開閉する排水栓７１の支柱７１１が、排水口金具３に装着されるヘアキャッチャー７５の軸筒部７５１を貫挿し、ガイド摺動されるよう構成している。
排水栓７１と、レリースワイヤ２の作動部２１とは、支持部材６が排水口金具３に支持し、該作動部の作動軸２２を排水栓の支柱７１１の凹部７１１２へ挿込み、位置決めされて継続している。【００２３】  ヘアキャッチャー７５は、図９〜１２に示す如く、排水栓の支柱７１１をガイド摺動する軸筒部７５１と、該軸筒部より抜き出した排水栓の支柱７１１の端部７１１１が装着される二又状の握持部７５２２でなる装着部７５２を近傍に配備した周縁リング部７５３と、該周縁リング部と軸筒部７５１と間に展がるネット部７５４とで構成されている。【００２４】  周縁リング部７５３の近傍には、装着部７５２が設けられ、該装着部は、周縁リング部７５３からネット部７５４に沿った上方開口の二又状の握持部７５２２である。
また、軸筒部７５１の内側面には、排水栓７１の排水口開閉で、その支柱７１１のガイド摺動される際に、摩擦の軽減をするための軸方向への複数のリブ７５１１が形成されている。【００２５】  排水栓７１は、図１３〜１４に示す如く、その支柱７１１の端部７１１１が、やや細径の挿込み首部７１１３と、それより端部に当るやや太径の挟握持部７１１４とでなっている。【００２６】  ネット部７５４に捕集、堆積した毛髪やごみなどを廃棄するに当って、図１６に示す如く、排水口金具３に装着されているヘアキャッチャー７５のその軸筒部７５１より引き抜いた排水栓の支柱７１１が、その端部７１１１をヘアキャッチャー７５の装着部７５２に挿込み握持される。
この握持は、支柱の端部７１１１の挿込み首部７１１３を装着部７５２の二又状握持部７５２２へ挿込み、軸方向への曳きによって、二又状握持部７５２２が挟握持部７１１４へ移行し、固く挟握持されることになる。
ヘアキャッチャー７５は、その装着部７５２の二又状握持部７５２２によって、排水栓の支柱７１１が、その端部７１１１を挟握持させることで固定されることになり、ネット部７５４に捕集、堆積された毛髪やごみなどを放棄するに当って、その排水栓７１の栓蓋７１２をもって振ることになっても、毛髪やごみなどへ手を触れずに、これらを簡単且つ容易に放棄させることができる。
【図面の簡単な説明】
【００２７】
【図１】  装着部が輪状挿着部であるヘアキャッチャーを排水口金具に装着した排水栓装置の構造図である。
【図２】  輪状挿着部の装着部を備えたヘアキャッチャーの上面図である。
【図３】  輪状挿着部の装着部を備えたヘアキャッチャーの横（Ａ−Ａ）断面図である
【図４】  輪状挿着部の装着部を備えたヘアキャッチャーの縦（Ｂ−Ｂ）断面図である
【図５】  輪状挿着部の装着部を備えたヘアキャッチャーの側面図である。
【図６】  輪状挿着部を備えたヘアキャッチャーに挿着させる排水栓の側面図である。
【図７】  輪状挿着部を備えたヘアキャッチャーに挿着させた排水栓の縦断面図である
【図８】  装着部が二又状の握持部であるヘアキャッチャーを排水口金具に装着した排水栓装置の構造図である。
【図９】  二又状握持部の装着部を備えたヘアキャッチャーの上面図である。
【図１０】  二又状握持部の装着部を備えたヘアキャッチャーの横（Ｃ−Ｃ）断面図である。
【図１１】  二又状握持部の装着部を備えたヘアキャッチャーの縦（Ｄ−Ｄ）断面図である。
【図１２】  二又状握持部の装着部を備えたヘアキャッチャーの側面図である。
【図１３】  二又状握持部を備えたヘアキャッチャーに挟握持される排水栓の側面図である。
【図１４】  二又状握持部を備えたヘアキャッチャーに挟握持される排水栓の縦断面図である。
【図１５】  輪状挿着部に排水栓の支柱が挿着固定され、捕集堆積した毛髪やごみなどの放棄を可能とするヘアキャッチャーの状態図である。
【図１６】  二又状握持部に排水栓の支柱が挟握持され、捕集堆積した毛髪やごみなどの放棄を可能とするヘアキャッチャーの状態図である。
【符号の説明】
【００２８】１        排水栓
１１      支柱
１１１    端部
１１２    凹部
１２      栓蓋
２        レリースワイヤ
２１      作動部
２２      作動軸
３        排水口金具
４        接続管
５        ヘアキャッチャー
５１      軸筒部
５１１    リブ
５２      装着部
５２２    挿着部
５３      周縁リング部
５４      ネット部
５４１    上筋
５４２    下筋
６        支持部材
７１      排水栓
７１１    支柱
７１１１  端部
７１１２  凹部
７１１３  挿込み首部
７１１４  挟握持部
７１２    栓蓋
７５      ヘアキャッチャー
７５１    軸筒部
７５１１  リブ
７５２    装着部
７５２２  二又状握持部
７５３    周縁リング部
７５４    ネット部
【図１】
2010037920.tif 000003
【図２】
2010037920.tif 000004
【図３】
2010037920.tif 000005
【図４】
2010037920.tif 000006
【図５】
2010037920.tif 000007
【図６】
2010037920.tif 000008
【図７】
2010037920.tif 000009
【図８】
2010037920.tif 000010
【図９】
2010037920.tif 000011
【図１０】
2010037920.tif 000012
【図１１】
2010037920.tif 000013
【図１２】
2010037920.tif 000014
【図１３】
2010037920.tif 000015
【図１４】
2010037920.tif 000016
【図１５】
2010037920.tif 000017
【図１６】
2010037920.tif 000018